(57)【要約】【課題】多層構造の検査対象物の内部の層の画像を良好な画質で取得し、その結果、内部の層の検査精度を向上させる。【解決手段】波長選択フィルタ１１３は、検査対象物に照射する照明光の波長を変更する。照明波長設定部１７３は、検査対象物の第１の層を通して第２の層の検査を行う場合に、第１の層の透光特性に基づいて、波長選択フィルタ１１３を用いて照明光の波長を設定する。撮影制御部１７５は、検査用撮像素子１２０を制御して、照明光が照射された検査対象物を撮影させる。検査部１７２は、撮影の結果得られた検査画像に基づいて、第２の層の検査を行う。本発明は、例えば、ＴＦＴアレイ基板の検査装置に適用できる。【選択図】図４
2012189348.tif 000002
【特許請求の範囲】
【請求項１】
検査対象物に照射する照明光の波長を変更する照明波長変更部と、
前記検査対象物の第１の層を通して第２の層の検査を行う場合に、前記第１の層の透光特性に基づいて、前記照明波長変更部を用いて前記照明光の波長を設定する照明波長設定部と、
前記照明光が照射された前記検査対象物の画像の撮影を制御する撮影制御部と、
前記照明光が照射された前記検査対象物の画像に基づいて、前記第２の層の検査を行う検査部と
を備えることを特徴とする検査装置。
【請求項２】
前記照明波長設定部は、前記第１の層の透光特性が未知である場合、前記照明波長変更部を用いて前記照明光の波長を所定の範囲内で異なる複数の値に設定し、
前記撮影制御部は、各波長の前記照明光が照射された前記検査対象物の画像をそれぞれ撮影するように制御し、
前記検査部は、各波長の前記照明光がそれぞれ照射された前記検査対象物の複数の画像に基づいて、前記第２の層の検査を行う
ことを特徴とする請求項１に記載の検査装置。
【請求項３】
前記照明波長設定部は、前記第１の層の透光特性に基づいて設定した波長の前記照明光が照射された前記検査対象物の画像に基づいて所望の検査結果が得られなかった場合、前記照明波長変更部を用いて前記照明光の波長を所定の範囲内で異なる複数の値に設定し、
前記撮影制御部は、各波長の前記照明光が照射された前記検査対象物の画像をそれぞれ撮影するように制御し、
前記検査部は、各波長の前記照明光がそれぞれ照射された前記検査対象物の複数の画像に基づいて、前記第２の層の検査を行う
ことを特徴とする請求項１に記載の検査装置。
【請求項４】
前記検査対象物の前記第２の層の深さに基づいて、前記検査対象物を撮影する際のフォーカス位置を設定するフォーカス設定部を
さらに備えることを特徴とする請求項１乃至３のいずれかに記載の検査装置。
【請求項５】
前記フォーカス設定部は、前記検査対象物の前記第２の層の深さが未知の場合、フォーカス位置を所定の範囲内で異なる複数の位置に設定し、
前記撮影制御部は、各フォーカス位置において前記検査対象物の画像を撮影するように制御し、
前記検査部は、各フォーカス位置において撮影された前記検査対象物の複数の画像に基づいて、前記第２の層の検査を行う
ことを特徴とする請求項４に記載の検査装置。
【請求項６】
前記照明波長変更部は、所定の光源から発せられる光から抽出する波長を変更することにより、前記検査対象物に照射する前記照明光の波長を変更する
ことを特徴とする請求項１に記載の検査装置。
【請求項７】
前記照明波長変更部は、それぞれ異なる波長の光を発する複数の光源の中から使用する光源を選択することにより、前記検査対象物に照射する前記照明光の波長を変更する
ことを特徴とする請求項１に記載の検査装置。
【請求項８】
検査対象物に照射する照明光の波長を変更する照明波長変更部を備える検査装置が、
前記検査対象物の第１の層を通して第２の層の検査を行う場合に、前記第１の層の透光特性に基づいて、前記照明波長変更部を用いて前記照明光の波長を設定し、
前記照明光が照射された前記検査対象物の画像の撮影を制御し、
前記照明光が照射された前記検査対象物の画像に基づいて、前記第２の層の検査を行う
ステップを含むことを特徴とする検査方法。
【発明の詳細な説明】
【技術分野】
【０００１】
本発明は、検査装置および検査方法に関し、特に、多層構造の検査対象物の検査を行う場合に用いて好適な検査装置および検査方法に関する。
【背景技術】
【０００２】
図１は、フラットパネルディスプレイ等に用いられるＴＦＴ（Thin Film Transistor）アレイ基板の断面の構成の一例を示している。
【０００３】
このＴＦＴアレイ基板１は、ガラス基板１１の上に金属配線１２が形成され、ガラス基板１１および金属配線１２の表面全体を覆うように絶縁膜１３が形成されている。また、絶縁膜１３の上に金属配線１４が形成され、絶縁膜１３および金属配線１４の表面全体を覆うように絶縁膜１５が形成されている。さらに、絶縁膜１５の上に、機能性膜１６および機能性膜１７が形成されている。また、機能性膜１６および機能性膜１７の上に、透明電極１８および機能性膜１９が形成されている。一例として、機能性薄膜１６および機能性薄膜１７は、カラーフィルタであり、機能性薄膜１９はブラックマトリクスである。
【０００４】
ここで、金属配線１４の欠陥を検出するための検査を行う場合について検討する。なお、以下、説明を簡単にするために、特に言及する場合を除いて、機能性膜１９の特性のみを考慮し、他の層の特性は考慮しないものとする。
【０００５】
例えば、機能性膜１９が、ブラックマトリックスにより構成される場合、可視光を照明光として用いたのでは、機能性膜１９の下にある金属配線１４の鮮明な画像を得ることが難しい。
【０００６】
そこで、例えば、機能性膜１９を透過する赤外光を照明光として用いることが考えられる（例えば、特許文献１参照）。
【先行技術文献】
【特許文献】
【０００７】
【特許文献１】特開２０１０−２７６７６７号公報
【発明の概要】
【発明が解決しようとする課題】
【０００８】
しかしながら、波長帯域が狭いほぼ単色の赤外光源を用いた場合、対応可能な機能性膜１９の種類が限定されてしまう。そのため、例えば、仕様変更等により機能性膜１９の代わりに透過特性が異なる別の機能性膜がＴＦＴアレイ基板１に用いられた場合、金属配線１４の鮮明な画像を得ることが困難になる。これは、例えば、ＴＦＴアレイ基板１とは機能性膜の透過特性が異なるＴＦＴアレイ基板を検査する場合も同様である。
【０００９】
一方、透過特性が異なる機能性膜に対応できるように、特許文献１に記載の発明のように、波長帯域が広い（例えば、１００ｎｍ以上）赤外光源を用いることが考えられる。しかしながら、機能性膜１９の波長特性は、照明光の波長により様々に変化するため、照明光の波長帯域が広くなるほど、ノイズが発生しやすくなり、検査画像の画質が低下する恐れがある。これは、機能性膜１９以外の他の層についても同様である。
【００１０】
本発明は、このような状況に鑑みてなされたものであり、多層構造の検査対象物の内部の層の画像を良好な画質で取得し、その結果、内部の層の検査精度を向上させるようにするものである。
【課題を解決するための手段】
【００１１】
本発明の一側面の検査装置は、検査対象物に照射する照明光の波長を変更する照明波長変更部と、検査対象物の第１の層を通して第２の層の検査を行う場合に、第１の層の透光特性に基づいて、照明波長変更部を用いて照明光の波長を設定する照明波長設定部と、照明光が照射された検査対象物の画像の撮影を制御する撮影制御部と、照明光が照射された検査対象物の画像に基づいて、第２の層の検査を行う検査部とを備える。
【００１２】
本発明の一側面の検査装置においては、検査対象物の第１の層を通して第２の層の検査を行う場合に、第１の層の透光特性に基づいて、照明波長変更部を用いて照明光の波長が設定され、照明光が照射された検査対象物の画像の撮影が制御され、照明光が照射された検査対象物の画像に基づいて、第２の層の検査が行われる。
【００１３】
従って、多層構造の検査対象物の内部の層（第２の層）の画像を良好な画質で取得することができる。その結果、多層構造の検査対象物の内部の層の検査精度を向上させることができる。
【００１４】
この照明波長変更部は、例えば、波長特性が異なる複数のフィルタを備える波長選択フィルタ、ＡＯＴＦ（音響光学可変波長フィルタ）、波長の異なる複数の光源を切り替える装置により構成される。この波長設定部、撮影制御部、検査部は、例えば、コンピュータ、または、各種の制御装置により構成される。
【００１５】
この照明波長設定部には、第１の層の透光特性が未知である場合、照明波長変更部を用いて照明光の波長を所定の範囲内で異なる複数の値に設定させ、この撮影制御部には、各波長の照明光が照射された検査対象物の画像をそれぞれ撮影するように制御させ、この検査部には、各波長の照明光がそれぞれ照射された検査対象物の複数の画像に基づいて、第２の層の検査を行わせることができる。
【００１６】
これにより、第１の層の透光特性が未知の場合にも、多層構造の検査対象物の内部の層（第２の層）の画像を良好な画質で取得することができる。その結果、多層構造の検査対象物の内部の層の検査精度を向上させることができる。
【００１７】
この照明波長設定部には、第１の層の透光特性に基づいて設定した波長の照明光が照射された検査対象物の画像に基づいて所望の検査結果が得られなかった場合、照明波長変更部を用いて照明光の波長を所定の範囲内で異なる複数の値に設定させ、この撮影制御部には、各波長の照明光が照射された検査対象物の画像をそれぞれ撮影するように制御させ、この検査部には、各波長の照明光がそれぞれ照射された検査対象物の複数の画像に基づいて、第２の層の検査を行わせることができる。
【００１８】
これにより、多層構造の検査対象物の内部の層（第２の層）の画像を良好な画質で取得することができる可能性が高くなる。その結果、多層構造の検査対象物の内部の層の検査精度を向上させることができる。
【００１９】
この検査装置には、検査対象物の第２の層の深さに基づいて、検査対象物を撮影する際のフォーカス位置を設定するフォーカス設定部をさらに設けることができる。
【００２０】
これにより、多層構造の検査対象物の内部の層（第２の層）の画像をより良好な画質で取得することができる。その結果、多層構造の検査対象物の内部の層の検査精度を向上させることができる。
【００２１】
このフォーカス設定部は、例えば、コンピュータ、または、各種の制御装置により構成される。
【００２２】
このフォーカス設定部には、検査対象物の第２の層の深さが未知の場合、フォーカス位置を所定の範囲内で異なる複数の位置に設定させ、この撮影制御部には、各フォーカス位置において検査対象物の画像を撮影するように制御させ、この検査部には、各フォーカス位置において撮影された検査対象物の複数の画像に基づいて、第２の層の検査を行わせることができる。
【００２３】
これにより、多層構造の検査対象物の内部の層（第２の層）の深さが未知の場合にも、内部の層の画像を良好な画質で取得することができる。その結果、多層構造の検査対象物の内部の層の検査精度を向上させることができる。
【００２４】
この照明波長変更部は、所定の光源から発せられる光から抽出する波長を変更することにより、検査対象物に照射する照明光の波長を変更させることができる。
【００２５】
この照明波長変更部には、それぞれ異なる波長の光を発する複数の光源の中から使用する光源を選択することにより、検査対象物に照射する照明光の波長を変更させることができる。
【００２６】
本発明の一側面の検査方法は、検査対象物に照射する照明光の波長を変更する照明波長変更部を備える検査装置が、検査対象物の第１の層を通して第２の層の検査を行う場合に、第１の層の透光特性に基づいて、照明波長変更部を用いて照明光の波長を設定し、照明光が照射された検査対象物の画像の撮影を制御し、照明光が照射された検査対象物の画像に基づいて、第２の層の検査を行うステップを含む。
【００２７】
本発明の一側面の検査方法においては、検査対象物の第１の層を通して第２の層の検査を行う場合に、第１の層の透光特性に基づいて、照明波長変更部を用いて照明光の波長が設定され、照明光が照射された検査対象物の画像の撮影が制御され、照明光が照射された検査対象物の画像に基づいて、第２の層の検査が行われる。
【００２８】
従って、多層構造の検査対象物の内部の層（第２の層）の画像を良好な画質で取得することができる。その結果、多層構造の検査対象物の内部の層の検査精度を向上させることができる。
【００２９】
この照明波長変更部は、例えば、波長特性が異なる複数のフィルタを備える波長選択フィルタ、ＡＯＴＦ（音響光学可変波長フィルタ）、波長の異なる複数の光源を切り替える装置により構成される。
【発明の効果】
【００３０】
本発明の一側面によれば、多層構造の検査対象物の内部の層の画像を良好な画質で取得することができる。また、本発明の一側面によれば、多層構造の検査対象物の内部の層の検査精度を向上させることができる。
【図面の簡単な説明】
【００３１】
【図１】ＴＦＴアレイ基板の構成例を示す断面図である。
【図２】本発明を適用した検査装置の一実施の形態を示すブロック図である。
【図３】波長選択フィルタの構成例を示す図である。
【図４】検査制御部の機能の構成例を示すブロック図である。
【図５】検査処理を説明するためのフローチャートである。
【図６】検査処理を説明するためのフローチャートである。
【図７】検査対象物の構成例を示す断面図である。
【発明を実施するための形態】
【００３２】
以下、本発明を実施するための形態（以下、実施の形態という）について説明する。なお、説明は以下の順序で行う。
１．実施の形態
２．変形例
【００３３】
＜１．実施の形態＞
［検査装置１０１の構成例］
図２は、本発明を適用した検査装置１０１の一実施の形態を示すブロック図である。
【００３４】
検査装置１０１は、検査対象物１０２を撮影することにより得られる画像に基づいて、検査対象物１０２の回路パターンの欠陥の検出等を行う検査装置である。
【００３５】
検査装置１０１は、光源１１１、レンズ１１２、波長選択フィルタ１１３、ハーフミラー１１４、ダイクロイックミラー１１５、全反射ミラー１１６、対物レンズ１１７、ハーフミラー１１８、結像レンズ１１９、検査用撮像素子１２０、結像レンズ１２１、観察用撮像素子１２２、検査制御部１２３、および、フォーカス制御部１２４を含むように構成される。
【００３６】
光源１１１は、例えば、所定の範囲の波長帯域の赤外光を発するハロゲンランプにより構成される。光源１１１から発せられた照明光は、レンズ１１２よりコリメートされた後、波長選択フィルタ１１３に入射する。
【００３７】
図３は、波長選択フィルタ１１３の構成例を示している。
【００３８】
波長選択フィルタ１１３は、フィルタ１５１ａ乃至１５１ｄの４種類のフィルタを備えている。フィルタ１５１ａ乃至１５１ｄは、それぞれ異なる透過波長帯域を有している。また、フィルタ１５１ａ乃至１５１ｄの透過波長帯域の幅ほぼ等しく、かつ狭い範囲に限定されている。従って、フィルタ１５１ａ乃至１５１ｄをそれぞれ透過することにより抽出される照明光は、ほぼ単色光に近い光となる。さらに、例えば、フィルタ１５１ａ乃至１５１ｄの透過波長帯域は、光源１１１の波長帯域内において、ほぼ等間隔になるように設定される。
【００３９】
また、波長選択フィルタ１１３は、検査制御部１２３の制御の下に、矢印Ａの方向に物理的に移動させることができ、光源１１１から発せられる照明光の光路上に設置するフィルタを切り替えることができる。これにより、検査対象物１０２に照射する照明光の波長が変更される。
【００４０】
なお、以下、フィルタ１５１ａ乃至１５１ｄを個々に区別する必要がない場合、単にフィルタ１５１と称する。
【００４１】
また、波長選択フィルタ１１３に設けられるフィルタ１５１の数は、この例に限定されるものではなく、任意の数に設定することが可能である。
【００４２】
図２に戻り、波長選択フィルタ１１３のいずれかのフィルタ１５１を透過した照明光は、ハーフミラー１１４により一部がダイクロイックミラー１１５の方向に反射され、残りがハーフミラー１１４を透過する。ダイクロイックミラー１１５の方向に反射された照明光は、ダイクロイックミラー１１５を透過し、全反射ミラー１１６により反射された後、対物レンズ１１７を介して、検査対象物１０２に照射される。
【００４３】
照明光の反射光等を含む検査対象物１０２からの観察光は、対物レンズ１１７を透過し、全反射ミラー１１６により反射され、ダイクロイックミラー１１５により一部が反射されて、フォーカス制御部１２４に入射し、残りがダイクロイックミラー１１５を透過する。
【００４４】
ダイクロイックミラー１１５を透過した観察光は、ハーフミラー１１４により一部が反射され、残りがハーフミラー１１４を透過する。ハーフミラー１１４を透過した観察光は、ハーフミラー１１８により一部が反射され、残りがハーフミラー１１８を透過する。
【００４５】
ハーフミラー１１８を透過した観察光は、結像レンズ１１９により、検査用撮像素子１２０の結像面において結像する。検査用撮像素子１２０は、検査制御部１２３の制御の下に、観察光による像、すなわち、検査対象物１０２の像を撮影し、その結果得られる画像（以下、検査画像と称する）を検査制御部１２３に供給する。
【００４６】
一方、ハーフミラー１１８により反射された観察光は、結像レンズ１２１により、観察用撮像素子１２２の結像面において結像する。観察用撮像素子１２２は、制御部（不図示）の制御の下に、観察光による像、すなわち、検査対象物１０２の像を撮影し、その結果得られる画像（以下、観察画像と称する）をモニタ（不図示）に供給し、モニタに表示させる。
【００４７】
検査制御部１２３は、例えば、コンピュータ、あるいは、各種の制御装置により構成される。検査制御部１２３は、検査用撮像素子１２０から供給される検査画像に基づいて、検査対象物１０２の検査を行い、検査結果を外部に出力する。
【００４８】
フォーカス制御部１２４は、オートフォーカス機能により対物レンズ１１７のフォーカス位置を制御したり、検査制御部１２３の制御の下に、対物レンズ１１７のフォーカス位置を指定された位置に設定したりする。
【００４９】
［検査制御部１２３の構成例］
図４は、検査制御部１２３の機能の構成例を示すブロック図である。
【００５０】
検査制御部１２３は、入力部１７１、検査部１７２、照明波長設定部１７３、フォーカス設定部１７４、撮影制御部１７５、および、出力部１７６を含むように構成される。
【００５１】
入力部１７１は、各種の入力装置により構成され、例えば、検査対象物１０２の特性データ等の各種のデータや、検査装置１０１に対する各種の指令が入力される。入力部１７１は、入力されたデータおよび指令を検査部１７２に供給する。
【００５２】
検査部１７２は、入力部１７１から供給される検査対象部１０２の特性データに含まれるデータを、必要に応じて照明波長設定部１７３およびフォーカス設定部１７４に供給する。また、検査部１７２は、照明波長設定部１７３、撮影制御部１７５、および、フォーカス設定部１７４に各種の指令を与え、所定の処理を実行させる。
【００５３】
さらに、検査部１７２は、撮影制御部１７５を介して、検査用撮像素子１２０から供給される検査画像に基づいて、検査対象物１０２の検査を行う。そして、検査部１７２は、検査対象物１０２の検査結果を、出力部１７６を介して外部に出力する。
【００５４】
照明波長設定部１７３は、検査部１７２の指令の基に、波長選択フィルタ１１３を制御して、検査対象物１０２に照射される照明光の波長を設定する。
【００５５】
フォーカス設定部１７４は、検査部１７２の指令の基に、フォーカス制御部１２４を制御して、対物レンズ１１７のフォーカス位置を設定する。
【００５６】
撮影制御部１７５は、検査部１７２の指令の基に、検査用撮像素子１２０による検査画像の撮影を制御する。また、撮影制御部１７５は、検査用撮像素子１２０から検査画像を取得し、検査部１７２に供給する。
【００５７】
［検査処理］
次に、図５および図６のフローチャートを参照して、検査装置１０１により実行される検査処理について説明する。
【００５８】
なお、以下、検査対象物１０２が図７に示される構成を有しており、金属配線２１４の欠陥の検出を行う場合を具体例に挙げて説明する。
【００５９】
図７の例において、検査対象物１０２は、図１のフラットパネルディスプレイ等に用いられるＴＦＴアレイ基板１と同様の構成を有している。なお、図中、図１と対応する部分には、下二桁が同じ符号を付している。
【００６０】
具体的には、検査対象物１０２は、ガラス基板２１１の上に金属配線２１２が形成され、ガラス基板２１１および金属配線２１２の表面全体を覆うように絶縁膜２１３が形成されている。また、絶縁膜２１３の上に金属配線２１４が形成され、絶縁膜２１３および金属配線２１４の表面全体を覆うように絶縁膜２１５が形成されている。さらに、絶縁膜２１５の上に、例えばカラーフィルタなどにより構成される機能性膜２１６および機能性膜２１７が形成されている。また、機能性膜２１６および機能性膜２１７の上に、透明電極２１８、および、例えばカラーフィルタまたはブラックマトリックスなどにより構成される機能性膜２１９が形成されている。
【００６１】
なお、以下、説明を簡単にするために、特に言及する場合を除いて、機能性膜２１９の特性のみを考慮し、他の層の特性は考慮しないものとする。
【００６２】
ステップＳ１において、検査部１７２は、入力部１７１を介して検査対象物１０２の特性データが入力された場合、その特性データを取得する。
【００６３】
なお、特性データが入力されなかった場合、ステップＳ１の処理は行われない。
【００６４】
ステップＳ２において、検査部１７２は、機能性膜２１９の透光特性が既知であるか否かを判定する。検査部１７２は、取得した特性データに機能性膜２１９の透光特性が含まれる場合、機能性膜２１９の透光特性が既知であると判定し、処理はステップＳ３に進む。
【００６５】
ステップＳ３において、検査装置１０１は、機能性膜２１９の透光特性に基づいて、照明光の波長を設定する。具体的には、検査部１７２は、機能性膜２１９の透光特性を照明波長設定部１７３に供給するとともに、照明光の波長の設定を指令する。照明波長設定部１７３は、波長選択フィルタ１１３のフィルタ１５１ａ乃至１５１ｄの中から、機能性膜２１９の透過波長帯域に含まれる波長の光（すなわち、機能性膜２１９を透過する波長の光）を透過するフィルタ１５１を選択する。そして、照明波長設定部１７３は、選択したフィルタ１５１が照明光の光路上にくるように、波長選択フィルタ１１３の位置を制御する。
【００６６】
ステップＳ４において、検査部１７２は、検査対象となる層の深さが既知であるか否かを判定する。検査部１７２は、取得した特性データに検査対象となる層（いまの場合、金属配線２１４）の検査対象物１０２の表面からの深さが含まれる場合、検査対象となる層の深さが既知であると判定し、処理はステップＳ５に進む。
【００６７】
ステップＳ５において、検査装置１０１は、検査対象となる層の深さに基づいて、フォーカス位置を設定する。具体的には、検査部１７２は、検査対象となる金属配線２１４の深さをフォーカス設定部１７４に通知するとともに、フォーカス位置の設定を指令する。フォーカス設定部１７４は、フォーカス制御部１２４に指令して、通常のオートフォーカスで設定される位置（すなわち、検査対象物１０２の表面）より金属配線２１４の深さだけ深い位置に対物レンズ１１７のフォーカス位置を設定させる。これにより、金属配線２１４の表面にフォーカス位置が設定される。
【００６８】
ステップＳ６において、検査装置１０１は、検査画像を取得する。具体的には、検査部１７２は、検査画像の取得を撮影制御部１７５に指令する。撮影制御部１７５は、検査用撮像素子１２０を制御して、検査対象物１０２を撮影させ、その結果得られた検査画像を取得する。撮影制御部１７５は、取得した検査画像を検査部１７２に供給する。
【００６９】
このとき取得される検査画像は、機能性膜２１９の透光特性に基づいて設定された波長の照明光が照射され、金属配線２１４の表面にフォーカス位置が設定された状態で撮影されたものである。
【００７０】
その後、処理はステップＳ１１に進む。
【００７１】
一方、ステップＳ４において、検査部１７２は、取得した特性データに検査対象となる層（いまの場合、金属配線２１４）の検査対象物１０２の表面からの深さが含まれない場合、または、特性データを取得できなかった場合、検査対象となる層の深さが未知であると判定し、処理はステップＳ７に進む。
【００７２】
ステップＳ７において、検査装置１０１は、フォーカス位置を検査対象物１０２の表面に設定する。具体的には、検査部１７２は、検査対象物１０２の表面にフォーカス位置を設定するようにフォーカス設定部１７４に指令する。フォーカス設定部１７４は、フォーカス制御部１２４に指令して、通常のオートフォーカスで設定される位置（すなわち、検査対象物１０２（機能性膜２１９）の表面）に対物レンズ１１７のフォーカス位置を設定させる。
【００７３】
ステップＳ８において、ステップＳ６の処理と同様に、検査画像が取得される。
【００７４】
ステップＳ９において、検査部１７２は、全てのフォーカス位置について検査画像を取得したか否かを判定する。まだ全てのフォーカス位置について、検査画像を取得していないと判定された場合、処理はステップＳ１０に進む。
【００７５】
ステップＳ１０において、検査装置１０１は、フォーカス位置をシフトする。具体的には、検査部１７２は、フォーカス位置を現在の位置から所定の距離だけ深い位置に設定するようにフォーカス設定部１７４に指令する。フォーカス設定部１７４は、フォーカス制御部１２４に指令して、対物レンズ１１７のフォーカス位置を現在の位置から所定の距離だけ深い位置にシフトさせる。
【００７６】
その後、処理はステップＳ８に戻り、ステップＳ９において、全てのフォーカス位置について検査画像を取得したと判定されるまで、ステップ８乃至Ｓ１０の処理が繰り返し実行される。これにより、検査対象物１０２の表面から所定の深さまで、フォーカス位置を所定の距離ずつシフトしながら、検査対象物１０２が撮影され、各フォーカス位置での検査画像が取得される。
【００７７】
なお、フォーカス位置の設定範囲、および、１回あたりのシフト量は、例えば、ユーザが設定することができる。
【００７８】
一方、ステップＳ９において、全てのフォーカス位置について検査画像を取得したと判定された場合、処理はステップＳ１１に進む。
【００７９】
ステップＳ１１において、検査部１７２は、検査処理演算を実行する。例えば、検査部１７２は、取得した全ての検査画像について、正常な金属配線２１４のパターンを含む画像とのパターンマッチングを行い、検査対象となる金属配線２１４の欠陥の検出を試みる。
【００８０】
なお、検査処理演算に用いる手法には、パターンマッチングに限定されるものではなく、検査画像を用いる任意の手法を採用することができる。
【００８１】
ステップＳ１２において、検査部１７２は、検査処理演算の結果に基づいて、欠陥を検出できたか否かを判定する。欠陥を検出できたと判定された場合、処理はステップＳ１３に進む。
【００８２】
ステップＳ１３において、検査部１７２は、出力部１７６を介して、欠陥の検出結果を出力する。
【００８３】
その後、検査処理は終了する。
【００８４】
一方、ステップＳ１２において、欠陥を検出できなかったと判定された場合、処理はステップＳ１４に進む。
【００８５】
なお、欠陥の検出を失敗する場合の例としては、パターンマッチングの結果、実際に欠陥を検出できなかった場合の他、例えば、検査画像の画質が悪くて、十分な量の特徴点が抽出できない等の要因により、パターンマッチングに失敗した場合等も含む。
【００８６】
また、ステップＳ２において、検査部１７２は、取得した特性データに機能性膜２１９の透光特性が含まれない場合、または、特性データを取得できなかった場合、機能性膜２１９の透光特性が未知であると判定し、処理はステップＳ１４に進む。
【００８７】
ステップＳ１４において、検査装置１０１は、照明光の波長を初期値に設定する。具体的には、検査部１７２は、照明光の波長を初期値に設定するように照明波長設定部１７３に指令する。照明波長設定部１７３は、例えば、予め設定されている順番に従って、最初に使用するフィルタ１５１を選択する。そして、照明波長設定部１７３は、選択したフィルタ１５１が照明光の光路上にくるように、波長選択フィルタ１１３の位置を制御する。
【００８８】
ステップＳ１５において、ステップＳ４の処理と同様に、検査対象となる層の深さが既知であるか否かが判定され、検査対象となる層の深さが既知であると判定された場合、処理はステップＳ１６に進む。
【００８９】
ステップＳ１６において、ステップＳ５の処理と同様に、検査対象となる層の深さに基づいて、フォーカス位置が設定される。
【００９０】
なお、先にステップＳ５において、検査対象となる層の深さに基づいて、フォーカス位置が設定されている場合、このステップＳ１６の処理は省略することができる。
【００９１】
ステップＳ１７において、ステップＳ６の処理と同様に、検査画像が取得される。
【００９２】
ステップＳ１８において、検査部１７２は、照明光の全ての波長の範囲について、検査画像を取得したか否かを判定する。検査部１７２は、波長選択フィルタ１１３のフィルタ１５１ａ乃至１５１ｄのうち、まだ検査画像の取得に使用していないフィルタがある場合、照明光の全ての波長の範囲について、検査画像を取得していないと判定し、処理はステップＳ１９に進む。
【００９３】
ステップＳ１９において、検査装置１０１は、照明光の波長をシフトする。具体的には、検査部１７２は、照明光の波長をシフトするように照明波長設定部１７３に指令する。照明波長設定部１７３は、例えば、予め設定されている順番に従って、次に使用するフィルタ１５１を選択する。そして、照明波長設定部１７３は、選択したフィルタ１５１が照明光の光路上にくるように、波長選択フィルタ１１３の位置を制御する。
【００９４】
その後、処理はステップＳ１７に戻り、ステップＳ１８において、照明光の全ての波長の範囲について、検査画像を取得したと判定されるまで、ステップＳ１７乃至Ｓ１９の処理が繰り返し実行される。これにより、フィルタ１５１ａ乃至１５１ｄをそれぞれ用いて、それぞれ異なる波長の照明光が照射された状態で検査対象物１０２が撮影され、各波長に対応する複数の検査画像が取得される。
【００９５】
なお、先にステップＳ６の処理で、機能性膜２１９の透光特性に基づく波長の照明光を用いて検査画像を取得済みである場合、ステップＳ１７乃至Ｓ１９の処理で、その波長の照明光を用いた検査画像を、改めて取得しないようにすることが可能である。
【００９６】
一方、ステップＳ１８において、検査部１７２は、波長選択フィルタ１１３のフィルタ１５１ａ乃至１５１ｄのうち、検査画像の取得に使用していないフィルタがない場合、照明光の全ての波長の範囲について、検査画像を取得したと判定し、処理はステップＳ２６に進む。
【００９７】
また、ステップＳ１５において、検査対象となる層の深さが未知である判定された場合、処理はステップＳ２０に進む。
【００９８】
ステップＳ２０において、ステップＳ７の処理と同様に、フォーカス位置が検査対象物１０２の表面に設定される。
【００９９】
ステップＳ２１において、ステップＳ８の処理と同様に、検査画像が取得される。
【０１００】
ステップＳ２２において、ステップＳ９の処理と同様に、全てのフォーカス位置について、検査画像を取得したか否かが判定され、まだ全てのフォーカス位置について、検査画像を取得していないと判定された場合、処理はステップＳ２３に進む。
【０１０１】
ステップＳ２３において、ステップＳ１０の処理と同様に、フォーカス位置がシフトされる。
【０１０２】
その後、処理はステップＳ２１に戻り、ステップＳ２２において、全てのフォーカス位置について、検査画像を取得したと判定されるまで、ステップＳ２１乃至Ｓ２３の処理が繰り返し実行される。
【０１０３】
一方、ステップＳ２２において、全てのフォーカス位置について、検査画像を取得したと判定された場合、処理はステップＳ２４に進む。
【０１０４】
ステップＳ２４において、ステップＳ１８の処理と同様に、照明光の全ての波長の範囲について、検査画像を取得したか否かが判定され、まだ照明光の全ての波長の範囲について、検査画像を取得していないと判定された場合、処理はステップＳ２５に進む。
【０１０５】
ステップＳ２５において、ステップＳ１９の処理と同様に、照明光の波長がシフトされる。
【０１０６】
その後、処理はステップＳ２０に戻り、ステップＳ２４において、照明光の全ての波長の範囲について、検査画像を取得したと判定されるまで、ステップＳ２０乃至Ｓ２５の処理が繰り返し実行される。これにより、設定可能な照明光の波長とフォーカス位置の全ての組み合わせについて、検査画像が取得される。
【０１０７】
なお、先にステップＳ７乃至Ｓ１０の処理で、機能性膜２１９の透光特性に基づく波長の照明光を用いて検査画像を取得済みである場合、ステップＳ２０乃至Ｓ２５の処理で、その波長の照明光を用いた検査画像を、改めて取得しないようにすることが可能である。
【０１０８】
一方、ステップＳ２４において、照明光の全ての波長の範囲について、検査画像を取得したと判定された場合、処理はステップＳ２６に進む。
【０１０９】
ステップＳ２６において、ステップＳ１１の処理と同様に、検査処理演算が実行される。このとき、例えば、取得した複数の検査画像に対して、それぞれ個別に検査処理演算を実行するようにしてもよいし、同じフォーカス位置で、異なる波長の照明光を用いて撮影した複数の検査画像を合成して、合成した画像に対して検査処理演算を実行するようにしてもよい。あるいは、個々の検査画像と合成画像の両方に対して検査処理演算を実行するようにしてもよい。
【０１１０】
ステップＳ２７において、ステップＳ１２の処理と同様に、欠陥を検出できたか否かが判定され、欠陥を検出できたと判定された場合、処理はステップＳ２８に進む。
【０１１１】
ステップＳ２８において、ステップＳ１３の処理と同様に、欠陥の検出結果が出力され、検査処理は終了する。
【０１１２】
一方、ステップＳ２７において、欠陥を検出できなかったと判定された場合、処理はステップＳ２９に進む。
【０１１３】
ステップＳ２９において、検査部１７２は、出力部１７６を介して、欠陥検出ＮＧを出力する。すなわち、検査部１７２は、欠陥を検出できなかったことを外部に通知する。
【０１１４】
その後、検査処理は終了する。
【０１１５】
このようにして、機能性膜２１９の透光特性が既知である場合、その透光特性に基づいて照明光の波長が設定されるので、迅速かつ簡単に金属配線２１４の画像を良好な画質で取得することができる。その結果、金属配線２１４の検査精度を向上させることができるとともに、検査時間を短縮することができる。
【０１１６】
また、検査対象物１０２に照射される照明光が単色光に近い光となるため、例えば、１００ｎｍ以上の広い波長帯の照明光を用いる場合と比較して、ノイズの発生を抑制し、検査画像の画質を向上させることができる。
【０１１７】
さらに、機能性膜２１９の透光特性に基づいて設定した照明光の波長で金属配線２１４の欠陥を検出できなかった場合、所定の範囲内で照明光の波長をシフトさせながら、各波長に対応する複数の検査画像が取得され、取得した複数の検査画像に基づいて検査が実行される。これにより、例えば、照明光の波長によって金属配線２１４のエッジの強度が変化するなど、機能性膜２１９の透光特性以外に検査画像の画質が変動する要因がある場合に、金属配線２１４の検査に適した検査画像を取得できる可能性が高くなる。その結果、金属配線２１４の検査精度を向上させることができるとともに、検査時間を短縮することができる。これは、機能性膜２１９の透光特性が未知の場合も同様である。
【０１１８】
また、金属配線２１４の深さが既知である場合、その深さに基づいて、対物レンズ１１７のフォーカス位置が設定されるので、迅速かつ簡単に金属配線２１４の画像を良好な画質で取得することができる。その結果、金属配線２１４の検査精度を向上させることができるとともに、検査時間を短縮することができる。
【０１１９】
さらに、金属配線２１４の深さが未知である場合、所定の範囲内でフォーカス位置をシフトしながら、各フォーカス位置での複数の検査画像が取得され、取得した複数の検査画像に基づいて検査が実行される。これにより、金属配線２１４の検査に適した検査画像を取得できる可能性が高くなる。その結果、金属配線２１４の検査精度を向上させることができるとともに、検査時間を短縮することができる。
【０１２０】
＜２．変形例＞
以下、本発明の実施の形態の変形例について説明する。
【０１２１】
［変形例１］
例えば、照明光の波長を変更する手段または方法として、上述した複数のフィルタを切り替える以外にも、例えば、ＡＯＴＦ（音響光学可変波長フィルタ）のような透過波長帯域が可変のフィルタを用いて、抽出する照明光の波長を連続的に変更できるようにしてもよい。あるいは、波長が異なる光源を複数設けて、使用する光源を選択するようにしてもよい。
【０１２２】
［変形例２］
さらに、以上の説明では、先に照明光の波長およびフォーカス位置をシフトさせながら複数の検査画像を取得した後、検査処理演算を実行する例を示したが、検査画像を１つ取得する毎に、取得した検査画像を用いて検査処理演算を実行するようにしてもよい。これにより、全ての検査画像を取得する前に、検査を終了させることが可能になる。
【０１２３】
また、この場合、機能性膜１９の透過特性に基づいて設定された波長の照明光により金属配線２１４の欠陥を検出できなかった場合、その波長に近い順に照明光の波長を設定するようにしてもよい。これにより、より検査が成功する可能性が高い検査画像から検査を実行することができ、検査画像を取得する数を減らすことが可能になる。
【０１２４】
［変形例３］
また、以上の説明では、検査対象となる層の上方の層のうちの１層のみの透光特性に基づいて、照明光の波長を設定する例を示したが、２層以上の透光特性に基づいて、照明光の波長を設定するようにしてもよい。例えば、図７の検査対象物１０２においては、機能性膜２１６、機能性膜２１７、および、機能性膜２１９の透光特性に基づいて、照明光の波長を設定するようにしてもよい。
【０１２５】
［変形例４］
さらに、以上の説明では、検査対象物１０２の反射光による像を用いて検査を行う例を示したが、本発明は、検査対象物１０２の透過光による像を用いて検査を行う場合にも適用することができる。
【０１２６】
［変形例５］
さらに、本発明は、反射光または透過光による直接的な画像（検出画像）を用いて検査する以外に、検査対象物に含まれる物質が発生する蛍光スペクトルまたは反射スペクトルを用いて検査する場合にも適用できる。
【０１２７】
例えば、上述したように複数の波長の照明光を照射して検出される検査対象物のスペクトルから、本来材料として用いる物質以外のスペクトルを検出することにより、異物欠陥や混入物の検出を容易に行うことができる。
【０１２８】
また、例えば、取得した検査対象物のスペクトルに基づいて、本来遮光されるべき層の下の層の物質のスペクトルを検出することにより、検査画像だけでは判別できないような、その上層の欠損を検出することができる。さらに、スペクトルから各層の物質の特定が行える場合、どの層で欠損が発生しているかを検出することができる。
【０１２９】
このように、検査画像の他に、スペクトル情報を用いることにより、検査画像の実解像度では検出できない欠陥を検出することが可能になる。
【０１３０】
［変形例６］
また、以上の説明では、赤外光を照明光として用いる例を示したが、本発明は、赤外光以外の波長帯域の照明光を使用する場合にも適用することができる。
【０１３１】
［変形例７］
さらに、以上の説明では、照明光の波長およびフォーカス位置の両方を制御する例を示したが、いずれか一方のみを制御するようにすることも可能である。
【０１３２】
［変形例８］
また、本発明は、上述したＴＦＴアレイ基板以外の、多層構造の検査対象物を検査する場合に適用することができる。また、本発明は、基板のパターンの欠陥の検出以外の検査を行う場合にも適用することができる。すなわち、本発明は、多層構造の検査対象物の内部の層を撮影した画像に基づいて、その内部の層を検査したり、多層構造の検査対象物のスペクトルに基づいて、検査対象物を検査したりする場合に適用することができる。
【０１３３】
上述した検査制御部１２３の一連の処理は、ハードウエアにより実行することもできるし、ソフトウエアにより実行することもできる。一連の処理をソフトウエアにより実行する場合には、そのソフトウエアを構成するプログラムが、コンピュータにインストールされる。ここで、コンピュータには、専用のハードウエアに組み込まれているコンピュータや、各種のプログラムをインストールすることで、各種の機能を実行することが可能な、例えば汎用のパーソナルコンピュータなどが含まれる。
【０１３４】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【０１３５】
また、本発明の実施の形態は、上述した実施の形態に限定されるものではなく、本発明の要旨を逸脱しない範囲において種々の変更が可能である。
【符号の説明】
【０１３６】
１０１  検査装置
１０２  検査対象物
１１１  光源
１１２  レンズ
１１３  波長選択フィルタ
１１７  対物レンズ
１１９  結像レンズ
１２０  検査用撮像素子
１２３  検査制御部
１２４  フォーカス制御部
１５１ａ乃至１５１ｄ  フィルタ
１７２  検査部
１７３  照明波長設定部
１７４  フォーカス設定部
１７５  撮影制御部
２１４  金属配線
２１９  機能性膜
【図１】
2012189348.tif 000003
【図２】
2012189348.tif 000004
【図３】
2012189348.tif 000005
【図４】
2012189348.tif 000006
【図５】
2012189348.tif 000007
【図６】
2012189348.tif 000008
【図７】
2012189348.tif 000009